(57)【要約】【課題】軽量気泡コンクリートパネルを建物躯体へ取り付ける際の作業性、建物躯体の搬送性および現場での取り扱い性の向上に資する技術を提供すること。【解決手段】フックボルト４の第２ボルト部１４がネジ係合された状態の長ナット２を、溶接等によって鉄骨梁３０に取り付け固定することにより、軽量気泡コンクリートパネル５０を鉄骨梁３０へ取り付ける際にのみフックボルト４の第１ボルト部１２を平面部３０ａに対して垂直に立ち上げることができ、取り付け作業性、鉄骨梁３０の搬送性および現場での取り扱い性が向上する。なお、長ナット２のネジ孔の軸線方向が鉄骨梁３０の長手方向に沿う方向となるように長ナット２を鉄骨梁３０に取り付け固定することにより、軽量気泡コンクリートパネル５０の目地部Ｊの領域内に長ナット２および第２ボルト部１４を収納することができ、軽量気泡コンクリートパネル５０に特別な加工を施す必要もなくなる。【選択図】図１
2015218435.tif 000002
【特許請求の範囲】
【請求項１】
建物躯体上に敷設された複数の軽量気泡コンクリートパネルを前記建物躯体に取り付け固定するための取付金具であって、
先端にネジ部を有する第１棒状部と、該第１棒状部に直交するよう該第１棒状部に一体にされた第２棒状部と、を有するボルト部材と、
前記第２棒状部が該第２棒状部の軸線回りに回動可能なように係合される係合孔を構成すると共に、該係合孔の軸線が前記建物躯体の前記軽量気泡コンクリートパネルを取り付けるための取付面に平行となるよう該取付面に固定された係合部材と、
前記第１棒状部の前記ネジ部にネジ係合されると共に、前記建物躯体との間で前記軽量気泡コンクリートパネルを締め付け固定するよう構成された固定部材と、
を備える取付金具。
【請求項２】
前記第２棒状部の前記係合孔からの抜け出しが防止されるよう構成されている請求項１に記載の取付金具。
【請求項３】
前記第２棒状部は、ネジ部を有しており、
前記係合孔は、前記ネジ部とネジ係合するネジ孔として構成されており、
前記第２棒状部と前記係合孔とのネジ係合により前記第２棒状部の前記係合孔からの抜け出しが防止されるよう構成されている請求項２に記載の取付金具。
【請求項４】
前記ボルト部材は、前記第１棒状部に平行かつ前記第２棒状部に直交するよう該第２棒状部に一体にされた第３棒状部を有しており、
前記第３棒状部により前記第２棒状部の前記係合孔からの抜け出しが防止されるよう構成されている請求項２に記載の取付金具。
【請求項５】
前記第２棒状部は、外周面に凹部を有しており、
前記係合部材を前記凹部側にかしめることにより前記第２棒状部の前記係合孔からの抜け出しが防止されるよう構成されている請求項２に記載の取付金具。
【請求項６】
前記係合部材は、前記係合孔の軸線方向に直角な断面形状が多角形に構成されている請求項１ないし５のいずれか１項に記載の取付金具。
【請求項７】
前記係合部材は、長尺状に構成された六角ナットである請求項６に記載の取付金具。
【請求項８】
前記第２棒状部は、先端が先細りに構成されている請求項１ないし７いずれか１項に記載の取付金具。
【請求項９】
前記固定部材は、円板状座金として構成されており
前記円板状座金は、前記第１棒状部の前記ネジ部にネジ係合するネジ孔を中央部に有するよう構成されている請求項１ないし８いずれか１項に記載の取付金具。
【請求項１０】
上面に複数の軽量気泡コンクリートパネルが敷設された状態で該軽量気泡コンクリートパネルが取り付け固定される建物躯体であって、
先端にネジ部を有する第１棒状部と、該第１棒状部に直交するよう該第１棒状部に一体にされた第２棒状部と、を有するボルト部材と、
前該第２棒状部が係合される係合孔を構成すると共に、該係合孔の軸線が前記建物躯体の前記軽量気泡コンクリートパネルを取り付けるための取付面に平行となるよう該取付面にされた係合部材と、
を備え、
前記第２棒状部が該第２棒状部の軸線回りに回動可能なように前記係合孔に係合されていると共に、前記第２棒状部の前記係合孔からの抜け出しが防止されるよう構成されている
建物躯体。
【請求項１１】
上面に複数の軽量気泡コンクリートパネルが敷設された状態で該軽量気泡コンクリートパネルがＬ字状のボルト部材を用いて取り付け固定される建物躯体であって、
前記ボルト部材の一辺が係合される係合孔を構成すると共に、該係合孔の軸線が前記建物躯体の前記軽量気泡コンクリートパネルを取り付けるための取付面に平行となるよう該取付面にされた係合部材を備える
建物躯体。
【請求項１２】
建物躯体上に敷設された複数の軽量気泡コンクリートパネルを前記建物躯体に取り付け固定するための軽量気泡コンクリートパネル取付構造であって、
先端にネジ部を有する第１棒状部と、該第１棒状部に直交するよう該第１棒状部に一体にされた第２棒状部と、を有するボルト部材と、
前記第２棒状部が該第２棒状部の軸線回りに回動可能なように係合される係合孔を構成すると共に、該係合孔の軸線が前記建物躯体の前記軽量気泡コンクリートパネルを取り付けるための取付面に平行となるよう該取付面にされた係合部材と、
前記ボルト部材の前記第１棒状部に挿通されるよう構成された座金部材と、
前記座金部材を介して前記第１棒状部の前記ネジ部にネジ係合されるよう構成されたナット部材と、
を備え、
前記建物躯体と前記座金部材との間で前記軽量気泡コンクリートパネルを挟み込んだ状態で、前記ナット部材を締め付けることにより、前記軽量気泡コンクリートパネルを前記建物躯体に取り付け固定する
軽量気泡コンクリートパネル取付構造。
【請求項１３】
建物躯体上に敷設された複数の軽量気泡コンクリートパネルを前記建物躯体に取り付け固定するための軽量気泡コンクリートパネル取付構造であって、
先端にネジ部を有する第１棒状部と、該第１棒状部に直交するよう該第１棒状部に一体にされた第２棒状部と、を有するボルト部材と、
前記第２棒状部が該第２棒状部の軸線回りに回動可能なように係合される係合孔を構成すると共に、該係合孔の軸線が前記建物躯体の前記軽量気泡コンクリートパネルを取り付けるための取付面に平行となるよう該取付面にされた係合部材と、
前記第１棒状部の前記ネジ部にネジ係合するネジ孔を中央部に有する円板状座金と、
を備え、
前記建物躯体と前記円板状座金との間で前記軽量気泡コンクリートパネルを挟み込んだ状態で、前記円板状座金を締め付けることにより、前記軽量気泡コンクリートパネルを前記建物躯体に取り付け固定する
軽量気泡コンクリートパネル取付構造。
【発明の詳細な説明】
【技術分野】
【０００１】
本発明は、建物躯体上に敷設された複数の軽量気泡コンクリートパネルを前記建物躯体に取り付け固定するための取付金具および上面に複数の軽量気泡コンクリートパネルが敷設された状態で当該軽量気泡コンクリートパネルが取り付け固定される建物躯体並びに建物躯体に軽量気泡コンクリートパネルを取り付けるための軽量気泡コンクリートパネル取付構造に関する。
【背景技術】
【０００２】
特開２００９−１２１１８１号公報（特許文献１）には、軸方向が垂直方向を向くように鉄骨梁の平面部上に固定されたナットと、当該ナットに座金を介してネジ係合されるボルトと、を備え、鉄骨梁と座金との間で軽量コンクリートパネルを挟み込むように取り付け固定するよう構成された軽量気泡コンクリートパネル用取付金具が開示されている。当該軽量気泡コンクリートパネル用取付金具では、乾式で施工可能で、工期短縮と安全性および経済性の向上を図ることができる。
【先行技術文献】
【特許文献】
【０００３】
【特許文献１】特開２００９−１２１１８１号公報
【発明の概要】
【発明が解決しようとする課題】
【０００４】
しかしながら、上述した軽量気泡コンクリートパネル用取付金具では、目視によりボルトの先端をナットにネジ係合させる必要があるため作業が煩雑となり、作業性という点においてなお改良の余地がある。ナットに代えてボルトを鉄骨梁の平面部上に固定する構成とすることにより、軽量気泡コンクリートパネルの鉄骨梁への取り付け作業性は向上するが、ボルトを鉄骨梁に固定する際の作業性や取り付け精度がナットを鉄骨梁に固定する場合に比べて悪化してしまう。また、鉄骨梁からボルトが突出する構成となるため、鉄骨梁の搬送性や現場での取り扱い性も悪化してしまう。
【０００５】
本発明は、上記に鑑みてなされたものであり、軽量気泡コンクリートパネルを建物躯体へ取り付ける際の作業性、建物躯体の搬送性および現場での取り扱い性の向上に資する技術を提供することを目的とする。
【課題を解決するための手段】
【０００６】
本発明の取付金具および建物躯体並びに軽量気泡コンクリートパネルの取付構造は、上述の目的を達成するために以下の手段を採った。
【０００７】
本発明に係る取付金具の好ましい形態によれば、建物躯体上に敷設された複数の軽量気泡コンクリートパネルを建物躯体に取り付け固定するための取付金具が構成される。当該取付金具は、ボルト部材と、係合部材と、固定部材と、を備えている。ボルト部材は、先端にネジ部を有する第１棒状部と、当該第１棒状部に直交するよう第１棒状部に一体にされた第２棒状部と、を有している。また、係合部材は、第２棒状部が当該第２棒状部の軸線回りに回動可能なように係合される係合孔を構成すると共に、当該係合孔の軸線が建物躯体の軽量気泡コンクリートパネルを取り付けるための取付面に平行となるように当該取付面に固定されている。そして、固定部材は、第１棒状部のネジ部にネジ係合されると共に、建物躯体との間で軽量気泡コンクリートパネルを締め付け固定するように構成されている。本発明における「一体にされた」とは、第１棒状部と第２棒状部とが一体成形された態様の他、第１棒状部と第２棒状部とを別体に成形した後に溶接等により一体にする態様を好適に包含する。また、本発明における「係合孔を構成する」とは、典型的には、係合部材に係合孔が形成されている態様がこれに該当するが、係合部材が建物躯体に固定された際に係合部材と建物躯体とにより係合孔が形成される態様を好適に包含する。また、本発明における「固定部材」は、典型的には、ボルト部材の第１棒状部に挿通され軽量気泡コンクリートパネルを建物躯体との間に挟み込む座金部材と、第１棒状部のネジ部にネジ係合されるナット部材がこれに該当するが、第１棒状部のネジ部にネジ係合するネジ孔を座金部材自体に設けることにより、ナット部材を省略した構成を好適に包含する。
【０００８】
本発明によれば、係合孔の軸線が建物躯体の取付面に平行となるように取付面に固定された係合部材にボルト部材の第２棒状部が回動可能に係合される構成であるため、軽量気泡コンクリートパネルを建物躯体へ取り付ける際には、ボルト部材の第１棒状部を建物躯体に対して垂直となるように回動させた状態にし、建物躯体を搬送する際には、ボルト部材の第１棒状部を建物躯体に寝かせた状態とすることができる。これにより、軽量気泡コンクリートパネルを建物躯体へ取り付ける際に、第１棒状部のネジ部へ固定部材をネジ係合させ易くなるため、取り付け作業性が向上すると共に、建物躯体を搬送する際に、ボルト部材が建物躯体から突出することがないため、搬送性や現場での取り扱い性が向上する。また、取付金具を予め建物躯体に取り付けた状態で工場から出荷する構成を採用することも可能となり、当該構成を採用した場合には、現場での作業時間を短縮することもできる。なお、係合孔の軸線方向が軽量気泡コンクリートパネル間に構成される目地部の延在方向に沿うように係合部材を建物躯体に固定する構成とすることにより、目地部領域内に第２棒状部および係合部材を収納することができる。これにより、第２棒状部や係合部材を避けるための形状を軽量気泡コンクリートパネルに別途形成する必要がなくなる。
【０００９】
本発明に係る取付金具の更なる形態によれば、第２棒状部の係合孔からの抜け出しが防止されるように構成されている。
【００１０】
本形態によれば、軽量気泡コンクリートパネルを建物躯体に取り付ける際や建物躯体を搬送する際に、第２棒状部が係合孔から抜け出て再度第２棒状部を係合孔に係合させる手間が生じたり、ボルト部材が紛失したりするといった不都合を回避することができる。
【００１１】
本発明に係る取付金具の更なる形態によれば、第２棒状部は、ネジ部を有している。また、係合孔は、ネジ部とネジ係合するネジ孔として構成されている。そして、第２棒状部と係合孔とのネジ係合により第２棒状部の係合孔からの抜け出しが防止されるように構成されている。
【００１２】
本形態によれば、第２棒状部と係合孔とをネジ係合させるのみという簡易な構成で第２棒状部の係合孔からの抜け出しを防止することができる。
【００１３】
本発明に係る取付金具の更なる形態によれば、ボルト部材は、第１棒状部の延在方向に平行かつ第２棒状部に直交するよう第２棒状部に一体にされた第３棒状部を有している。そして、第３棒状部により第２棒状部の係合孔からの抜け出しが防止されるように構成されている。
【００１４】
本形態によれば、第２棒状部に直交する第３棒状部を第２棒状部に一体に設けるのみという簡易な構成で第２棒状部の係合孔からの抜け出しを防止することができる。
【００１５】
本発明に係る取付金具の更なる形態によれば、第２棒状部は、外周面に凹部を有している。そして、係合部材を凹部側にかしめることにより第２棒状部の係合孔からの抜け出しが防止されるように構成されている。
【００１６】
本形態によれば、係合部材を凹部側にかしめるのみという簡易な構成で第２棒状部の係合孔からの抜け出しを防止することができる。
【００１７】
本発明に係る取付金具の更なる形態によれば、係合部材は、係合孔の軸線方向に直角な断面形状が多角形に構成されている。
【００１８】
本形態によれば、係合部材の外面に係合孔の軸線方向に沿った角部が構成されるため、係合部材を溶接によって建物躯体に固定する場合における溶接作業が容易なものとすることができる。
【００１９】
本発明に係る取付金具の更なる形態によれば、係合部材は、長尺状に構成された六角ナットに構成されている。
【００２０】
本形態によれば、係合部材として汎用品である六角ナットを用いる構成であるため、専用の係合部材を用いる構成に比べてコスト増加を抑制することができる。
【００２１】
本発明に係る取付金具の更なる形態によれば、第２棒状部は、先端が先細りに構成されている。
【００２２】
本形態によれば、第２棒状部を係合孔に挿入する際の挿入性を向上することができる。
【００２３】
本発明に係る取付金具の更なる形態によれば、固定部材は、円板状座金として構成されている。そして、円板状座金は、第１棒状部のネジ部にネジ係合するネジ孔を中央部に有するように構成されている。
【００２４】
本形態によれば、円板状座金がネジ孔を有する構成であるため、ナットが必要でなく、部品点数を削減することができる。また、円板状座金を締め付けるのみで良いため、軽量気泡コンクリートパネルを建物躯体に取り付ける際の取付性を向上することができる。
【００２５】
本発明に係る第１の建物躯体の好ましい形態によれば、上面に複数の軽量気泡コンクリートパネルが敷設された状態で当該軽量気泡コンクリートパネルが取り付け固定される建物躯体が構成される。当該建物躯体は、ボルト部材と、係合部材と、を備えている。ボルト部材は、先端にネジ部を有する第１棒状部と、当該第１棒状部に直交するよう第１棒状部に一体にされた第２棒状部と、を有している。また、係合部材は、第２棒状部が係合される係合孔を構成すると共に、当該係合孔の軸線が建物躯体の軽量気泡コンクリートパネルを取り付けるための取付面に平行となるように当該取付面に固定されている。そして、当該建物躯体は、第２棒状部が当該第２棒状部の軸線回りに回動可能なように係合孔に係合されていると共に、第２棒状部の係合孔からの抜け出しが防止されるように構成されている。本発明における「一体にされた」とは、第１棒状部と第２棒状部とが一体成形された態様の他、第１棒状部と第２棒状部とを別体に成形した後に溶接等により一体にする態様を好適に包含する。また、本発明における「係合孔を構成する」とは、典型的には、係合部材に係合孔が形成されている態様がこれに該当するが、係合部材が建物躯体に固定された際に係合部材と建物躯体とにより係合孔が形成される態様を好適に包含する。
【００２６】
本発明によれば、建物躯体に軽量気泡コンクリートパネルを取り付け固定するための取付金具であるボルト部材および係合部材を建物躯体が備える構成であるため、軽量気泡コンクリートパネルを建物躯体へ取り付ける際に、現場で建物躯体にボルト部材および係合部材を取り付ける必要がない。これより、取り付け作業性が向上する。しかも、第２棒状部が係合孔から抜け出ないように構成されているため、軽量気泡コンクリートパネルを建物躯体に取り付ける際や建物躯体を搬送する際に、第２棒状部が係合孔から抜け出て再度第２棒状部を係合孔に係合させる手間が生じたり、ボルト部材が紛失したりするといった不都合を回避することができる。また、係合孔の軸線が建物躯体の取付面に平行となるように取付面に固定された係合部材にボルト部材の第２棒状部が回動可能に係合される構成であるため、軽量気泡コンクリートパネルを建物躯体へ取り付ける際には、ボルト部材の第１棒状部を建物躯体に対して垂直となるように回動させた状態にし、建物躯体を搬送する際には、ボルト部材の第１棒状部を建物躯体に寝かせた状態とすることができる。これにより、軽量気泡コンクリートパネルを建物躯体へ取り付ける際に、第１棒状部のネジ部へ固定部材をネジ係合させ易くなるため、取り付け作業性が一層向上すると共に、建物躯体を搬送する際に、ボルト部材が建物躯体から突出することがないため、搬送性や現場での取り扱い性が向上する。また、取付金具を予め建物躯体に取り付けた状態で工場から出荷する構成を採用することも可能となり、当該構成を採用した場合には、現場での作業時間を短縮することもできる。なお、係合孔の軸線方向が軽量気泡コンクリートパネル間に構成される目地部の延在方向に沿うように係合部材を建物躯体に固定する構成とすることにより、目地部領域内に第２棒状部および係合部材を収納することができる。これにより、第２棒状部や係合部材を避けるための形状を軽量気泡コンクリートパネルに別途形成する必要がない。
【００２７】
本発明に係る第２の建物躯体の好ましい形態によれば、上面に複数の軽量気泡コンクリートパネルが敷設された状態で当該軽量気泡コンクリートパネルがＬ字状のボルト部材を用いて取り付け固定される建物躯体が構成される。当該建物躯体は、ボルト部材の一辺が係合される係合孔を構成すると共に、当該係合孔の軸線が建物躯体の軽量気泡コンクリートパネルを取り付けるための取付面に平行となるように当該取付面に固定された係合部材を備えている。本発明における「係合孔を構成する」とは、典型的には、係合部材に係合孔が形成されている態様がこれに該当するが、係合部材が建物躯体に固定された際に係合部材と建物躯体とにより係合孔が形成される態様を好適に包含する。
【００２８】
本発明によれば、ボルト部材が係合される係合部材を建物躯体が備える構成であるため、軽量気泡コンクリートパネルを建物躯体へ取り付ける際に、現場で建物躯体に係合部材を取り付ける必要がない。これより、取り付け作業性が向上する。なお、係合孔の軸線方向が軽量気泡コンクリートパネル間に構成される目地部の延在方向に沿うように係合部材を建物躯体に固定する構成とすることにより、目地部領域内に係合部材を収納することができる。これにより、係合部材を避けるための形状を軽量気泡コンクリートパネルに別途形成する必要がない。
【００２９】
本発明に係る第１の軽量気泡コンクリートパネル取付構造の好ましい形態によれば、建物躯体上に敷設された複数の軽量気泡コンクリートパネルを建物躯体に取り付け固定するための軽量気泡コンクリートパネル取付構造が構成される。当該軽量気泡コンクリートパネル取付構造では、ボルト部材と、係合部材と、座金部材と、ナット部材と、を備えている。ボルト部材は、先端にネジ部を有する第１棒状部と、当該第１棒状部に直交するよう第１棒状部に一体にされた第２棒状部と、を有している。係合部材は、第２棒状部が当該第２棒状部の軸線回りに回動可能なように係合される係合孔を構成すると共に、当該係合孔の軸線が建物躯体の軽量気泡コンクリートパネルを取り付けるための取付面に平行となるように当該取付面に固定されている。座金部材は、ボルト部材の第１棒状部に挿通されるように構成されている。ナット部材は、座金部材を介して第１棒状部のネジ部にネジ係合されるように構成されている。そして、当該軽量気泡コンクリートパネルの取付構造では、建物躯体と座金部材との間で軽量気泡コンクリートパネルを挟み込んだ状態で、ナット部材を締め付けることにより、軽量気泡コンクリートパネルを建物躯体に取り付け固定する。本発明における「一体にされた」とは、第１棒状部と第２棒状部とが一体成形された態様の他、第１棒状部と第２棒状部とを別体に成形した後に溶接等により一体にする態様を好適に包含する。また、本発明における「係合孔を構成する」とは、典型的には、係合部材に係合孔が形成されている態様がこれに該当するが、係合部材が建物躯体に固定された際に係合部材と建物躯体とにより係合孔が形成される態様を好適に包含する。
【００３０】
本発明によれば、係合孔の軸線が建物躯体の取付面に平行となるように取付面に固定された係合部材にボルト部材の第２棒状部が回動可能に係合される構成であるため、軽量気泡コンクリートパネルを建物躯体へ取り付ける際には、ボルト部材の第１棒状部を建物躯体に対して垂直となるように回動させた状態にし、建物躯体を搬送する際には、ボルト部材の第１棒状部を建物躯体に寝かせた状態とすることができる。これにより、軽量気泡コンクリートパネルを建物躯体へ取り付ける際に、第１棒状部のネジ部へ固定部材をネジ係合させ易くなるため、取り付け作業性が向上すると共に、建物躯体を搬送する際に、ボルト部材が建物躯体から突出することがないため、搬送性や現場での取り扱い性が向上する。また、取付金具を予め建物躯体に取り付けた状態で工場から出荷する構成を採用することも可能となり、当該構成を採用した場合には、現場での作業時間を短縮することもできる。なお、係合孔の軸線方向が軽量気泡コンクリートパネル間に構成される目地部の延在方向に沿うように係合部材を建物躯体に固定する構成とすることにより、目地部領域内に第２棒状部および係合部材を収納することができる。これにより、第２棒状部や係合部材を避けるための形状を軽量気泡コンクリートパネルに別途形成する必要がない。
【００３１】
本発明に係る第２の軽量気泡コンクリートパネル取付構造の好ましい形態によれば、建物躯体上に敷設された複数の軽量気泡コンクリートパネルを建物躯体に取り付け固定するための軽量気泡コンクリートパネル取付構造が構成される。当該軽量気泡コンクリートパネルの取付構造は、ボルト部材と、係合部材と、円板状座金と、を備えている。ボルト部材は、先端にネジ部を有する第１棒状部と、当該第１棒状部に直交するよう第１棒状部に一体にされた第２棒状部と、を有している。係合部材は、第２棒状部が当該第２棒状部の軸線回りに回動可能なように係合される係合孔を構成すると共に、当該係合孔の軸線が建物躯体の軽量気泡コンクリートパネルを取り付けるための取付面に平行となるように当該取付面に固定されている。円板状座金は、第１棒状部のネジ部にネジ係合するネジ孔を中央部に有している。そして、当該軽量気泡コンクリートパネルの取付構造では、建物躯体と円板状座金との間で軽量気泡コンクリートパネルを挟み込んだ状態で、円板状座金を締め付けることにより、軽量気泡コンクリートパネルを建物躯体に取り付け固定するように構成されている。本発明における「一体にされた」とは、第１棒状部と第２棒状部とが一体成形された態様の他、第１棒状部と第２棒状部とを別体に成形した後に溶接等により一体にする態様を好適に包含する。また、本発明における「係合孔を構成する」とは、典型的には、係合部材に係合孔が形成されている態様がこれに該当するが、係合部材が建物躯体に固定された際に係合部材と建物躯体とにより係合孔が形成される態様を好適に包含する。
【００３２】
本発明によれば、係合孔の軸線が建物躯体の取付面に平行となるように取付面に固定された係合部材にボルト部材の第２棒状部が回動可能に係合される構成であるため、軽量気泡コンクリートパネルを建物躯体へ取り付ける際には、ボルト部材の第１棒状部を建物躯体に対して垂直となるように回動させた状態にし、建物躯体を搬送する際には、ボルト部材の第１棒状部を建物躯体に寝かせた状態とすることができる。これにより、軽量気泡コンクリートパネルを建物躯体へ取り付ける際に、第１棒状部のネジ部へ固定部材をネジ係合させ易くなるため、取り付け作業性が向上すると共に、建物躯体を搬送する際に、ボルト部材が建物躯体から突出することがないため、搬送性や現場での取り扱い性が向上する。また、取付金具を予め建物躯体に取り付けた状態で工場から出荷する構成を採用することも可能となり、当該構成を採用した場合には、現場での作業時間を短縮することもできる。なお、係合孔の軸線方向が軽量気泡コンクリートパネル間に構成される目地部の延在方向に沿うように係合部材を建物躯体に固定する構成とすることにより、目地部領域内に第２棒状部および係合部材を収納することができる。これにより、第２棒状部や係合部材を避けるための形状を軽量気泡コンクリートパネルに別途形成する必要がない。さらに、円板状座金にネジ孔を設ける構成であるため、ナット部材を別途用いる必要がない。これにより、作業性の向上および部品点数の削減を図ることができる。
【発明の効果】
【００３３】
本発明によれば、軽量気泡コンクリートパネルを建物躯体へ取り付ける際の作業性、建物躯体の搬送性および現場での取り扱い性の向上に資する技術を提供することができる。
【図面の簡単な説明】
【００３４】
【図１】本発明の実施の形態に係る取付金具１０の構成の概略を示す概略構成図である。
【図２】フックボルトの先端を拡大して示す拡大図である。
【図３】本発明の実施の形態に係る取付金具１０を用いて軽量気泡コンクリートパネル５０を鉄骨梁３０に取り付けた状態を示す斜視図である。
【図４】本発明の実施の形態に係る取付金具１０を用いて軽量気泡コンクリートパネル５０を鉄骨梁３０に取り付けた状態を示す断面図である。
【図５】本発明の実施の形態に係る取付金具１０を用いて軽量気泡コンクリートパネル５０を鉄骨梁３０に取り付けた状態を示す断面図である。
【図６】変形例の取付金具１１０の構成の概略を示す概略構成図である。
【図７】変形例の取付金具２１０の構成の概略を示す概略構成図である。
【図８】変形例の取付金具３１０の構成の概略を示す概略構成図である。
【図９】変形例の取付金具４１０の構成の概略を示す概略構成図である。
【図１０】ブラケット４０２をかしめる様子を示す説明図である。
【図１１】変形例の取付金具５１０の構成の概略を示す概略構成図である。
【図１２】変形例の取付金具６１０の構成の概略を示す概略構成図である。
【発明を実施するための形態】
【００３５】
次に、本発明を実施するための形態を実施例を用いて説明する。
【００３６】
本発明の実施の形態に係る取付金具１０は、図１に示すように、鉄骨梁３０上に取り付け固定された長ナット２と、当該長ナット２にネジ係合されたフックボルト４と、フックボルト４に挿通される座金６と、フックボルト４にネジ係合されるナット８と、を備えている。本発明の実施の形態に係る取付金具１０は、図３ないし図５に示すように、鉄骨梁３０の平面部３０ａ上に敷設された複数枚の軽量気泡コンクリートパネル５０を当該鉄骨梁３０に取り付け固定する金具として構成されている。鉄骨梁３０は、本発明における「建物躯体」に対応し、長ナット２は、本発明における「係合部材」に対応する実施構成の一例である。また、座金６は、本発明における「座金部材」に対応し、ナット８は、本発明における「ナット部材」に対応し、座金６およびナット８は、本発明における「固定部材」に対応する実施構成の一例である。また、軽量気泡コンクリートパネル５０は、本発明における「軽量気泡コンクリートパネル」に対応する実施構成の一例である。
【００３７】
長ナット２は、六角ナットとして構成されており、高さ（ネジ孔の軸線方向に沿う長さ）寸法が二面幅の寸法よりも長くなるように構成されている。長ナット２は、図１に示すように、鉄骨梁３０の平面部３０ａに溶接などによって取り付け固定されている。具体的には、長ナット２は、鉄骨梁３０の平面部３０ａの幅方向（鉄骨梁３０の長手方向に直交する方向）のほぼ中央において、長ナット２の高さ方向（ネジ孔の軸線方向）が鉄骨梁３０の長手方向に沿う方向となるように溶接等によって取り付け固定されている。
【００３８】
ここで、長ナット２は、後述するフックボルト４の第２ボルト部１４がネジ係合された状態で平面部３０ａに取り付け固定される。なお、本実施の形態では、長ナット２の平面部３０ａへの溶接等による固定は、鉄骨梁３０を工場から出荷する際に行う構成として説明するが、長ナット２の平面部３０ａへの溶接等による固定は、軽量気泡コンクリートパネル５０を鉄骨梁３０に取り付ける現場で行う構成としても良いことは言うまでもない。ここで、現場で取付金具１０を鉄骨梁３０に取り付ける態様としては、工場から出荷される際に予め長ナット２のみが取り付けられた鉄骨梁３０に現場でフックボルト４のみを取り付ける態様の他、現場で長ナット２およびフックボルト４の両方を鉄骨梁３０に取り付ける態様が包含される。長ナット２のネジ孔は、本発明における「係合孔」に対応する実施構成の一例である。
【００３９】
フックボルト４は、図１および図２に示すように、第１ボルト部１２と、当該第１ボルト部１２に直交するように第１ボルト部１２に一体成形された第２ボルト部１４と、を備えており、略Ｌ字状に構成されている。第１ボルト部１２および第２ボルト部１４それぞれには、雄ネジが形成されている。第１ボルト部１２は、本発明における「第１棒状部」に対応し、第２ボルト部１４は、本発明における「第２棒状部」に対応する実施構成の一例である。フックボルト４は、本発明における「ボルト部材」に対応する実施構成の一例である。
【００４０】
フックボルト４は、第２ボルト部１４が長ナット２にネジ係合されている。即ち、第２ボルト部１４は当該第２ボルト部１４の軸線周りに回動可能に構成されている。これにより、フックボルト４の第１ボルト部１２は、図１に示すように、第２ボルト部１４を回動中心として、鉄骨梁３０の平面部３０aに対して寝た状態から当該平面部３０ａに垂直となる状態を経て、再び平面部３０aに対して寝た状態となるまで回動可能となっている。
【００４１】
なお、第２ボルト部１４の先端部は、図２に示すように、先端に向かうに伴い外径が漸次縮径されるように構成されている。これにより、第２ボルト部１４を長ナット２にネジ係合し易いものとなる。第１ボルト部１２は、本発明における「第１棒状部」に対応し、第２ボルト部１４は、本発明における「第２棒状部」に対応する実施構成の一例である。また、第２ボルト部１４の先端部が、先端に向かうに伴い外径が漸次縮径されるように構成される態様は、本発明における「第２棒状部は、先端が先細りに構成されている」態様に対応する実施構成の一例である。
【００４２】
座金６は、円板状に構成されており、中央部にフックボルト４の第１ボルト部１２が挿通される挿通孔が形成されている。
【００４３】
次に、こうして構成された取付金具１０を用いて軽量気泡コンクリートパネル５０を鉄骨梁３０に取り付ける際の様子について説明する。軽量気泡コンクリートパネル５０を鉄骨梁３０に取り付けるに際しては、図３に示すように、まず、鉄骨梁３０の平面部３０ａに取り付け固定された長ナット２にネジ係合されることにより、鉄骨梁３０に対して回動可能に構成されたフックボルト４を、第１ボルト部１２が平面部３０aに対して垂直となる状態まで回動させる。このとき、作業性等を考慮して、長ナット２と第２ボルト部１４とを溶接等により固定する構成としても良い。なお、フックボルト４の第１ボルト部１２の長さ寸法は、軽量気泡コンクリートパネル５０の厚さ方向寸法よりも小さく形成しているため、軽量気泡コンクリートパネル５０の上面（図３ないし図５における上側の面）から突出することはない。
【００４４】
続いて、二枚の軽量気泡コンクリートパネル５０を、各短辺小口が長ナット２およびフックボルト４の第２ボルト部１４の延在方向に沿うように、各短辺小口同士を突き合わせた状態で鉄骨梁３０の平面部３０ａに設置する。このとき、各軽量気泡コンクリートパネル５０の上面（図３ないし図５における上側の面）であって各短辺小口側に形成された各半円凹部同士が整合されて、図３ないし図５に示すように、ほぼ円形をした円形凹部５０ａが構成される。当該円形凹部５０ａの内径および深さ寸法は、座金６の外径および厚さ寸法よりも若干大きな内径および深さ寸法を有するように構成されている。これにより、座金６が円形凹部５０ａ内に設置された際に、軽量気泡コンクリートパネル５０の上面（図３ないし図５における上側の面）から座金６が突出することはない。
【００４５】
そして、当該円形凹部５０ａに座金６が収容されるように、座金６をフックボルト４の第１ボルト部１２に挿通し、第１ボルト部１２にナット８をネジ係合させナット８の締め付けを行う。これにより、二枚の軽量気泡コンクリートパネル５０は、鉄骨梁３０と座金６の間で挟み込まれた状態で、鉄骨梁３０に取り付け固定される。
【００４６】
以上説明した本発明の実施の形態に係る取付金具１０によれば、フックボルト４の第２ボルト部１４がネジ係合された状態の長ナット２を、溶接等によって鉄骨梁３０に取り付け固定する構成であるため、軽量気泡コンクリートパネル５０を鉄骨梁３０へ取り付ける際には、フックボルト４の第１ボルト部１２が鉄骨梁３０の平面部３０ａに対して垂直となるように回動させ、鉄骨梁３０を搬送する際、あるいは、軽量気泡コンクリートパネル５０を取り付ける前においては、フックボルト４の第１ボルト部１２を鉄骨梁３０の平面部３０ａに寝かせた状態とすることができる。これにより、軽量気泡コンクリートパネル５０を鉄骨梁３０へ取り付ける際に、軽量気泡コンクリートパネル５０の上面（図３ないし図５における上側面）においてナット８を第１ボルト部１２にネジ係合させることができるため、取り付け作業性が向上する。また、鉄骨梁３０を搬送する際にフックボルト４の第１ボルト部１２が鉄骨梁３０の平面部３０ａから突出することがないため、鉄骨梁３０の搬送性や現場での取り扱い性が向上する。
【００４７】
また、本発明の実施の形態に係る取付金具１０によれば、取付金具１０を予め鉄骨梁３０に取り付けた状態で工場から出荷する構成であるため、現場での作業時間を短縮することができる。
【００４８】
また、本発明の実施の形態に係る取付金具１０によれば、長ナット２の高さ方向（ネジ孔の軸線方向）が鉄骨梁３０の長手方向に沿う方向となるように長ナット２を鉄骨梁３０に取り付け固定する構成であるため、図３に示すように、軽量気泡コンクリートパネル５０の短辺小口間に構成される目地部Ｊの領域内に長ナット２および第２ボルト部１４を収納することができる。しかも、本実施の形態では、軽量気泡コンクリートパネル５０の鉄骨梁３０側の面（下面、図３ないし図５における下側面）であって、短辺小口側の角部には、図４および図５に示すように、面取り５０ｂが形成されており、当該面取り５０ｂによって構成される空間領域内に長ナット２および第２ボルト部１４を収納できる構成としている。これにより、第２棒状部や係合部材を避けるためのみの形状を軽量気泡コンクリートパネル５０に別途形成する必要がない。
【００４９】
また、本発明の実施の形態に係る取付金具１０によれば、フックボルト４が長ナット２にネジ係合される構成であるため、フックボルト４の長ナット２からの抜け落ちを防止できる。これにより、軽量気泡コンクリートパネル５０を鉄骨梁３０に取り付ける際や鉄骨梁３０を搬送する際に、フックボルト４が長ナット２から抜けて再度フックボルト４を長ナット２に係合させる手間が生じたり、フックボルト４が紛失したりするといった不都合を回避することができる。
【００５０】
また、本発明の実施の形態に係る取付金具１０によれば、長ナット２が六角ナットにより構成されているため、鉄骨梁３０への溶接の際に長ナット２の外周側面の角部を用いることができる。これにより、溶接作業性が向上する。しかも、六角ナットとして汎用品を用いるものとすれば、コスト増加を良好に抑制することができる。
【００５１】
本実施の形態では、円形状の座金６を用いる構成としたが、これに限らない。例えば、図６の変形例の取付金具１１０に例示するように、円形状の座金６に代えて方形状の座金１０６を用いる構成としてもかまわない。座金１０６は、本発明における「座金部材」に対応する実施構成の一例である。
【００５２】
本実施の形態では、座金６およびナット８を用いる構成としたが、図７の変形例の取付金具２１０に例示するように、ナット８は無くても構わない。この場合、座金６に代えて座金２０６を用いる構成とすれば良い。具体的には、座金２０６の挿通孔をネジ孔として構成し、座金２０６自体をフックボルト４の第１ボルト部１２にネジ係合させることにより、軽量気泡コンクリートパネル５０を鉄骨梁３０に取り付け固定する構成とれば良い。なお、ネジ孔の周縁に二つの孔２０６ａ（凹部でも良い）を設ける構成とすれば、当該孔２０６ａに座金２０６を回転させる工具を差し込んで座金２０６の締め付けを行うことができる。座金２０６は、本発明における「円板状座金」に対応する実施構成の一例である。
【００５３】
本実施の形態では、フックボルト４を、第１ボルト部１２と、第２ボルト部１４と、からなる略Ｌ字形状に構成したが、これに限らない。図８の変形例の取付金具３１０に例示するように、フックボルト３０４は、第１ボルト部３１２と、当該第１ボルト部３１２に直交すると共に当該第１ボルト部３１２を挟んで両側に突出するように第１ボルト部３１２に一体に成形した第２ボルト部３１４を有する略逆Ｔ字形状に構成しても構わない。この場合、第２ボルト部３１４の両端に雄ネジを形成し、当該二つの雄ネジそれぞれに長ナット２をネジ係合して、当該二つの長ナット２を鉄骨梁３０に溶接等により取り付け固定すれば良い。なお、第２ボルト部３１４の軸線方向は、鉄骨梁３０の長手方向に沿うように配置する。
【００５４】
本実施の形態では、第２ボルト部１４と長ナット２とをネジ係合させることにより、フックボルト４が長ナット２に対して回動可能かつフックボルト４の長ナット２に対する抜けが防止される構成としたが、これに限らない。例えば、図９の変形例の取付金具４１０に例示するように、フックボルト４０４をブラケット４０２を用いて回動可能に鉄骨梁３０に取り付けると共に、フックボルト４０４のブラケット４０２からの抜け出しが防止された構成でも構わない。
【００５５】
取付金具４１０は、図９に示すように、鉄骨梁３０の平面部３０ａに取り付け固定されたブラケット４０２と、当該ブラケット４０２に係合されたフックボルト４０４と、を備えている。フックボルト４０４は、本発明における「ボルト部材」に対応し、ブラケット４０２は、本発明における「係合部材」に対応する実施構成の一例である。
【００５６】
ブラケット４０２は、図９に示すように、正面視略逆Ｕ字形状に形成された係合部４０２ａと、当該係合部４０２ａの両先端部から外方に張り出すように構成された張出部４０２ｂと、を備えている。ブラケット４０２は、張出部４０２ｂを鉄骨梁３０の平面部３０ａに当接させた状態で、当該張出部４０２ｂが溶接されることにより平面部３０ａに取り付け固定される。
【００５７】
ブラケット４０２が平面部３０ａに取り付け固定されることにより、係合部４０２ａと平面部３０ａとでトンネル状の孔４０３が構成される。当該孔４０３の内径は、後述するフックボルト４０４の軸部４１４の外径よりも小さくなるように構成されている。孔４０３は、本発明における「係合孔」に対応する実施構成の一例である。
【００５８】
なお、ブラケット４０２は、長ナット２と同様、鉄骨梁３０の平面部３０ａの幅方向（鉄骨梁３０の長手方向に直交する方向）のほぼ中央において、当該孔４０３の軸線方向が鉄骨梁３０の長手方向に沿うように鉄骨梁３０の平面部３０ａに取り付けられる。
【００５９】
フックボルト４０４は、図９に示すように、雄ネジが形成されたボルト部４１２と、当該ボルト部４１２に直交するようにボルト部４１２に一体成形された軸部４１４と、を備えており、略Ｌ字状に構成されている。軸部４１４の外周面には、図９に示すように、ボルト部４１２が延在する方向を向く方向が切り欠かれた切欠き部４１４ａが形成されている。ボルト部４１２は、本発明における「第１棒状部」に対応し、軸部４１４は、本発明における「第２棒状部」に対応する実施構成の一例である。
【００６０】
切欠き部４１４ａは、図９に示すように、軸部４１４の軸方向中間部において軸方向に沿って延在している。切欠き部４１４ａにおける軸部４１４の外径相当寸法は、孔４０３の内径よりも小さくなるよう構成されている。軸部４１４は、当該切欠き部４１４ａにおいてブラケット４０２の孔４０３に係合される。
【００６１】
当該変形例の取付金具４１０では、フックボルト４０４の切欠き部４１４ａを係合部４０２ａに係合した状態で、ブラケット４０２を鉄骨梁３０の平面部３０ａに溶接等により取り付け固定する。これにより、ブラケット４０２を介してフックボルト４０４を鉄骨梁３０に対して回動可能に取り付けることができる。また、ブラケット４０２の係合部４０２ａが軸部４１４の外周面と切欠き部４１４ａとの段差面に突き当たる構成であるため、フックボルト４０４のブラケット４０２からの抜け出しを防止することができる。
【００６２】
以上により、変形例の取付金具４１０においても本実施の形態に係る取付金具１０を用いた場合と同様の作用効果、例えば、軽量気泡コンクリートパネル５０を鉄骨梁３０に取り付ける際の取り付け作業性が向上するという効果や、鉄骨梁３０の搬送性や現場での取り扱い性が向上するといった効果を奏することができる。なお、ボルト部４１２を平面部３０ａに対して垂直状態で維持したい場合には、軸部４１４と係合部４０２ａとを溶接により固定する構成や、図１０に示すよう、係合部４０２ａを鏨Ｔ等を用いて切欠き部４１４ａ側にかしめることにより固定する構成とすれば良い。
【００６３】
変形例の取付金具４１０では、ブラケット４０２の係合部４０２ａを、軸部４１４の外周面と切欠き部４１４ａとの段差面に突き当てることにより、フックボルト４０４のブラケット４０２からの抜け出しを防止する構成としたが、図１１の変形例の取付金具５１０に例示するように、フックボルト５０４を略Ｊ字形状に形成することによりブラケット５０２からの抜け出しを防止する構成としても構わない。フックボルト５０４は、本発明における「ボルト部材」に対応し、ブラケット５０２は、本発明における「係合部材」に対応する実施構成の一例である。
【００６４】
変形例の取付金具５１０では、図１１に示すように、フックボルト５０４は、雄ネジが形成されたボルト部５１２と、当該ボルト部５１２に直交するようにボルト部５１２に一体成形された軸部５１４と、ボルト部５１２の延在方向に平行かつ軸部５１４に直交するよう軸部５１４に一体成形された折曲部５１６と、を備えている。ボルト部５１２は、本発明における「第１棒状部」に対応し、軸部５１４は、本発明における「第２棒状部」に対応し、折曲部５１６は、本発明における「第３棒状部」に対応する実施構成の一例である。
【００６５】
また、ブラケット５０２は、係合部５０２ａによって構成される孔５０３の内径がフックボルト５０４の軸部５１４の外径とほぼ同じか若干大きく構成されている点を除いてブラケット４０２と同じ構成をしている。なお、ブラケット５０２の係合部５０２ａに、フックボルト５０４の折曲部５１６が突き当たることによりフックボルト５０４のブラケット５０２からの抜け出しが防止される。孔５０３は、本発明における「係合孔」に対応し、折曲部５１６は、本発明における「第３棒状部」に対応する実施構成の一例である。
【００６６】
また、変形例の取付金具４１０，５１０では、フックボルト４０４，５０４をブラケット４０２に係合した状態で予め鉄骨梁３０に取り付けておく構成としたが、図１２の変形例の取付金具６１０に例示するように、ブラケット４０２のみを鉄骨梁３０の平面部３０ａに溶接等により予め取り付け固定しておき、軽量気泡コンクリートパネル５０を鉄骨梁３０に取り付ける際にフックボルト６０４をブラケット５０２に係合する構成としても構わない。
【００６７】
なお、フックボルト６０４は、図１２に示すように、折曲部５１６を有さない点を除いてフックボルト５０４と同じ構成をしている。この場合、フックボルト６０４の軸部６１４とブラケット５０２の係合部５０２ａとを溶接やかしめを行うことにより、フックボルト６０４のブラケット５０２からの抜け出しを防止することができる。なお、フックボルト６０４のボルト部６１２を鉄骨梁３０の平面部３０ａに対して垂直状態で維持したい場合には、ボルト部６１２を平面部３０ａに対して垂直にした状態で軸部６１４と係合部５０２ａとを溶接やかしめを行えばよい。ここで、軸部６１４と係合部５０２ａとをかしめる場合には、図１０に例示するフックボルト４０４のように、軸部６１４の外周面に切欠き部を設け、係合部５０２ａを鏨Ｔ等を用いて当該切欠き部側にかしめることにより固定する構成とすれば良い。
【００６８】
本実施の形態および上述した変形例の取付金具１０，１１０，２１０，３１０では、長ナット２として六角ナットを用いる構成としたが、これに限らない。例えば、長ナット２のネジ孔の軸線方向に直角な断面形状を六角形以外の多角形に形成する構成や、円形あるいは楕円形に形成する構成としても構わない。
【００６９】
本実施の形態および上述した変形例の取付金具１０，１１０，２１０，３１０では、フックボルト４，３０４，４０４，５０４，６０４の第２ボルト部１４，３１４や軸部４１４，５１４，６１４の軸線方向が軽量気泡コンクリートパネル５０の短辺小口間に構成される目地部Ｊの延在方向（本実施形態では鉄骨梁３０の長手方向）に沿う方向となるように長ナット２やブラケット４０２，５０２を鉄骨梁３０に取り付け固定する構成としたが、これに限らない。例えば、第２ボルト部１４，３１４や軸部４１４，５１４，６１４の軸線方向が軽量気泡コンクリートパネル５０の長辺小口間に構成される目地部の延在方向（本実施形態では鉄骨梁３０の長手方向に直交する方向）に沿う方向となるように長ナット２やブラケット４０２，５０２を鉄骨梁３０に取り付け固定する構成としても構わない。
【００７０】
あるいは、フックボルト４，３０４，４０４，５０４，６０４の第２ボルト部１４，３１４や軸部４１４，５１４，６１４の軸線方向は、軽量気泡コンクリートパネル５０同士間の目地部Ｊの延在方向（本実施形態では鉄骨梁３０の長手方向）に沿っていなくても構わない。
【００７１】
本実施形態は、本発明を実施するための形態の一例を示すものである。したがって、本発明は、本実施形態の構成に限定されるものではない。
【符号の説明】
【００７２】
２        長ナット（係合部材）
４        フックボルト（ボルト部材）
６        座金（座金部材、固定部材）
８        ナット（ナット部材、固定部材）
１０      取付金具（取付金具）
１２      第１ボルト部（第１棒状部）
１４      第２ボルト部（第２棒状部）
３０      鉄骨梁（建物躯体）
３０ａ    平面部
５０      軽量気泡コンクリートパネル（軽量気泡コンクリートパネル）
５０ａ    円形凹部
５０ｂ    面取り
１１０    取付金具（取付金具）
１０６    座金（座金部材）
２０６    座金（円板状座金）
２０６ａ  孔
２１０    取付金具（取付金具）
３０４    フックボルト（ボルト部材）
３１０    取付金具（取付金具）
３１２    第１ボルト部（第１棒状部）
３１４    第２ボルト部（第２棒状部）
４０２    ブラケット（係合部材）
４０２ａ  係合部
４０２ｂ  張出部
４０３    孔（係合孔）
４０４    フックボルト（ボルト部材）
４１０    取付金具（取付金具）
４１２    ボルト部（第１棒状部）
４１４    軸部（第２棒状部）
４１４ａ  切欠き部
５０２    ブラケット（係合部材）
５０２ａ  係合部
５０２ｂ  張出部
５０３    孔（係合孔）
５０４    フックボルト（ボルト部材）
５１０    取付金具（取付金具）
５１２    ボルト部（第１棒状部）
５１４    軸部（第２棒状部）
５１６    折曲部（第３棒状部）
６０４    フックボルト（ボルト部材）
６１０    取付金具（取付金具）
６１２    ボルト部（第１棒状部）
６１４    軸部（第２棒状部）
Ｊ        目地部（目地部）
Ｔ        鏨
【図１】
2015218435.tif 000003
【図２】
2015218435.tif 000004
【図３】
2015218435.tif 000005
【図４】
2015218435.tif 000006
【図５】
2015218435.tif 000007
【図６】
2015218435.tif 000008
【図７】
2015218435.tif 000009
【図８】
2015218435.tif 000010
【図９】
2015218435.tif 000011
【図１０】
2015218435.tif 000012
【図１１】
2015218435.tif 000013
【図１２】
2015218435.tif 000014